(57)【要約】【課題】  機器ケースの外表面に簡単に且つ容易に取り付けることができる保護カバーを提供する。【解決手段】  電子辞書１の外表面を覆う折り曲げ可能なカバー本体８と、このカバー本体８に対して起立横倒可能に設けられ、機器ケース１の第１ケース２の側面から機器ケース１の内部に向けて設けられたペン収納穴６に起立した状態で挿入して横倒することにより、カバー本体８を第１ケース２に対して取り付ける可動取付部材１０と、を備えている。従って、機器ケース１の外表面にカバー本体８を取り付ける際に、機器ケース１における第１ケース１のペン収納穴６を見ながら、可動取付部材１０を起立させた状態で第１ケース２のペン収納穴６に容易に挿入させることができると共に、この挿入した可動取付部材１０をカバー本体８に対して横倒させるだけで、簡単にカバー本体８を機器ケース１に取り付けることができる。【選択図】        図２
2013236729.tif 000002
【特許請求の範囲】
【請求項１】
機器ケースの外表面を覆う折り曲げ可能なカバー本体と、
このカバー本体に対して起立横倒可能に設けられ、前記機器ケースの側面から前記機器ケースの内部に向けて設けられた取付穴に起立した状態で挿入して横倒することにより、前記カバー本体を前記機器ケースに対して取り付ける可動取付部材と、
を備えていることを特徴とする保護カバー。
【請求項２】
請求項１に記載の保護カバーにおいて、前記可動取付部材は、前記機器ケースの前記取付穴に挿入する挿入部を有し、この挿入部を前記カバー本体に固定された固定部に屈曲連結部によって起立横倒可能に連結したことを特徴とする保護カバー。
【請求項３】
請求項２に記載の保護カバーにおいて、前記固定部には、前記取付穴の奥側に位置する前記機器ケースの側部を係止する側面フック部が設けられていることを特徴とする保護カバー。
【請求項４】
請求項１〜請求項３のいずれかに記載の保護カバーにおいて、前記取付穴はタッチペンを収納するペン収納穴であることを特徴とする保護カバー。
【請求項５】
請求項１〜請求項４のいずれかに記載の保護カバーにおいて、前記カバー本体には、タッチペンを着脱自在に保持するペンホルダ部が設けられていることを特徴とする保護カバー。
【請求項６】
請求項１〜請求項５のいずれかに記載の保護カバーにおいて、前記カバー本体の四隅には、機器ケースの四隅を係止するコーナーフック部がそれぞれ設けられていることを特徴とする保護カバー。
【発明の詳細な説明】
【技術分野】
【０００１】
この発明は、電子辞書や携帯情報端末機などの電子機器に用いられる保護カバーに関する。
【背景技術】
【０００２】
例えば、折り畳み可能な電子辞書に用いられる保護カバーにおいては、特許文献１に記載されているように、第１ケースと第２ケースとが折り畳み可能に連結された機器ケースの第１ケースの外表面を覆う第１カバー部と、機器ケースの第２ケースの外表面を覆う第２カバー部と、第１カバー部および第２カバー部を折り曲げ可能に連結するカバー連結部とを有する構成のものが知られている。
【先行技術文献】
【特許文献】
【０００３】
【特許文献１】特開２００９−１０１０３３号公報
【０００４】
このような保護カバーは、カバー連結部に対して反対側に位置する第１、第２の各カバー部の隅部に第１、第２の各ケースの各角部をそれぞれ保持する各保持部が設けられていると共に、第１カバー部に第１ケースの足部を係脱可能に係止する足係止部が設けられた構成になっている。
【発明の概要】
【発明が解決しようとする課題】
【０００５】
このような保護カバーでは、第１、第２の各カバー部を第１第２の各ケースに取り付ける際に、第１カバー部に第１ケースを配置して第１ケースの足部を第１カバー部の足係止部に対応させるときに、第１ケースによって第１カバー部の足係止部が隠れてしまうため、第１ケースの足部を第１カバー部の足係止部に係止させる作業が面倒であるほか、第１ケースの足部を第１カバー部の足係止部に強く押し付けなければ、係止させることがないため、機器ケースに対する取付作業性が悪いという問題がある。
【０００６】
この発明が解決しようとする課題は、機器ケースの外表面に簡単に且つ容易に取り付けることができる保護カバーを提供することである。
【課題を解決するための手段】
【０００７】
この発明は、機器ケースの外表面を覆う折り曲げ可能なカバー本体と、このカバー本体に対して起立横倒可能に設けられ、前記機器ケースの側面から前記機器ケースの内部に向けて設けられた取付穴に起立した状態で挿入して横倒することにより、前記カバー本体を前記機器ケースに対して取り付ける可動取付部材と、を備えていることを特徴とする保護カバーである。
【発明の効果】
【０００８】
この発明によれば、機器ケースの外表面にカバー本体を取り付ける際に、機器ケースの取付穴を見ながら、可動取付部材を起立させた状態で機器ケースの取付穴に容易に挿入させることができると共に、この挿入した可動取付部材をカバー本体に対して横倒させるだけで、簡単にカバー本体を機器ケースに取り付けることができるので、機器ケースの外表面に簡単に且つ容易に取り付けることができる。
【図面の簡単な説明】
【０００９】
【図１】この発明を電子辞書に適用した一実施形態において、その電子辞書を示した斜視図である。
【図２】図１に示された電子辞書に取り付けられる保護カバーを示した拡大斜視図である。
【図３】図２に示された保護カバーにおけるカバー本体の一部を示した分解斜視図である。
【図４】図２に示された保護カバーにおける可動取付部材を示し、（ａ）はその拡大平面図、（ｂ）はその拡大側面図である。
【図５】図４に示された可動取付部材において、棒状の挿入部を固定部に対して起立させた状態を示した拡大側面図である。
【発明を実施するための形態】
【００１０】
以下、図１〜図５を参照して、この発明を電子辞書に適用した一実施形態について説明する。
この電子辞書は、図１に示すように、機器ケース１を備えている。この機器ケース１は、互いに重なり合う第１ケース２と第２ケース３とをケース連結部４によって折り畳み可能に連結した構成になっている。
【００１１】
この場合、第１ケース２には、図示しないが、辞書機能に必要な各種のキーを有するキー入力部が設けられており、第２ケース３には、辞書機能に必要な各種の情報を表示する表示部が設けられている。また、第１ケース２には、図１に示すように、その側面部（図１では右側面部）から内部に向けてタッチペン５が挿脱可能に挿入するペン収納穴６が、第１ケース２の中間部付近に亘って設けられている。このペン収納穴６は、第１ケース２におけるケース連結部４の近傍に位置する箇所にケース連結部４に沿って設けられている。
【００１２】
また、この機器ケース１は、図２に示すように、その外表面に保護カバー７が着脱可能に取り付けられるように構成されている。この保護カバー７は、第１、第２の各ケース２、３の外表面にこれを覆って配置される折り曲げ可能なカバー本体８と、このカバー本体８に対して起立横倒可能に設けられて第１ケース２の側面から内部に向けて設けられたペン収納穴６に起立した状態で挿入して横倒することにより、カバー本体８を第１ケース２に対して取り付ける可動取付部材１０とを備えている。
【００１３】
カバー本体８は、図２に示すように、第１ケース２に対応する第１カバー部１１と、第２ケース３に対応する第２カバー部１２と、この第１、第２の各カバー部１１、１２を折り曲げ可能に連結するカバー連結部１３とを有し、これらが一体的に形成された構成になっている。この場合、第１、第２の各カバー部１１、１２は、図３に示すように、第１、第２の各ケース２、３の外表面に対して反対側に位置する表地１４と、第１、第２の各ケース２、３の外表面に対面する内地１５と、この表地１４と内地１５との間に配置される芯材１６とで構成されている。
【００１４】
この場合、表地１４は、天然皮革、合成皮革、ポリウレタン樹脂などの素材からなり、内地１５は、天然皮革、合成皮革、布などの素材からなっている。芯材１６は、中芯１６ａ、上芯１６ｂ、下芯１６ｃの３層構造で、それぞれ紙やフィルムなどの素材からなっている。また、カバー連結部１３は、表地１４と内地１５とを重ね合わせてなり、第１、第２の各カバー部１１、１２を屈曲可能に連結するように構成されている。
【００１５】
一方、可動取付部材１０は、図２、図４および図５に示すように、第１ケース２のペン収納穴６に挿入する挿入部１８を有し、この挿入部１８がカバー本体８の第１カバー部１１に固定された固定部１７に屈曲連結部１９によって起立横倒可能に連結された構成になっている。この場合、固定部１７は、硬質の合成樹脂からなり、第１ケース２のペン収納穴６に沿う帯板状に形成され、第１カバー部１１の内地１５の上面に、第１ケース２のペン収納穴６に対応する状態で、接着剤または熱圧着あるいは溶着などによって固定されている。
【００１６】
この場合、固定部１７は、図２、図４および図５に示すように、第１ケース２のペン収納穴６に沿う第１カバー部１１の箇所において、その一側部（図２では右側部）から他側部（図２では左側部）に亘って設けられている。この固定部１７の一端部（図２では右端部）には、ペン収納穴６が露出する第１ケース２の側面に沿って立ち上がる起立部１７ａが設けられている。
【００１７】
また、この固定部１７の他端部（図２では左端部）には、図４（ａ）および図４（ｂ）に示すように、第１ケース２の側面に係脱可能に係止する側面フック部２０が設けられている。この側面フック部２０は、固定部１７の長手方向に対して直交する方向に長く形成されたフック本体部２０ａと、第１カバー部１１の側部に対応するフック本体部２０ａの一端部に起立して設けられた係止片２０ｂとを有し、この係止片２０ｂがペン収納穴６の露出側と反対側に位置する第１ケース２の側面を係脱可能に係止するように構成されている。
【００１８】
また、可動取付部材１０の挿入部１８は、固定部１７と同じ硬質の合成樹脂からなり、図２、図４および図５に示すように、タッチペン５と同様、第１ケース２のペン収納穴６に挿入する先細の棒状に形成された棒本体部１８ａと、この棒本体部１８ａにおける先細部と反対側の他端部に設けられてストッパー部を兼ねるほぼ半円形状の頭部１８ｂとを有し、この頭部１８ｂの弦部に相当する直線部が屈曲連結部１９によって固定部１７の起立部１７ａの上端部に折り曲げ可能に連結された構成になっている。
【００１９】
屈曲連結部１９は、図４および図５に示すように、肉厚の薄い屈曲可能な薄肉部であり、固定部１７と挿入部１８とを硬質の合成樹脂で同時に成形する際に、固定部１７の起立部１７ａの上端部と挿入部１２のほぼ半円形状の頭部１８ｂにおける弦部に相当する直線部との間に一体に形成されている。この屈曲連結部１９は、図４（ｂ）に示すように、挿入部１８を固定部１７上に所定の隙間をもって横倒させるように屈曲すると共に、図５に示すように、挿入部１８を固定部１７に対して起立させるように屈曲する構成になっている。
【００２０】
一方、この保護カバー７のカバー本体８における第１カバー部１１には、図２に示すように、タッチペン５を着脱自在に保持するペンホルダ部２１が設けられている。すなわち、このペンホルダ部２１は、屈曲可能な軟質の合成樹脂からなるシートをタッチペン５が挿入する程度の大きさの円筒状に形成したものであり、第１カバー部１１におけるカバー連結部１３と反対側に位置する側辺部（図２では下辺部）に沿って接着剤または熱圧着あるいは溶着などによって設けられている。
【００２１】
また、カバー本体８の四隅には、図２に示すように、機器ケース１の四隅つまり第１ケース２におけるケース連結部４と反対側に位置する両側の各角部２ａと、第２ケース３におけるケース連結部４と反対側に位置する両側の各角部３ａとを、それぞれ係止するコーナーフック部２２がそれぞれ設けられている。
【００２２】
この各コーナーフック部２２は、図２に示すように、塩化ビニルなどの軟質の合成樹脂からなる帯状のものであり、その各一端部がカバー連結部１３と反対側に位置する第１、第２の各カバー部１１、１２の各側辺部に取り付けられ、各他端部が第１、第２の各カバー部１１、１２の各側辺部に対して直交する各側部に取り付けられ、この状態で各中間部が弛みを有するように構成されている。
【００２３】
これにより、各コーナーフック部２２は、図２に示すように、第１ケース２におけるケース連結部４と反対側に位置する両側の各角部２ａが挿入すると共に、第２ケース３におけるケース連結部４と反対側に位置する両側の各角部３ａが挿入することにより、第１、第２の各ケース２、３の各角部２ａ、３ａを保持するように構成されている。
【００２４】
次に、この保護カバー７の作用について説明する。
この保護カバー７を電子辞書の機器ケース１に取り付ける場合には、まず、可動取付部材１０の挿入部１８を固定部１７に対して起立させる。このときには、挿入部１８の頭部１８ｂと固定部１７の起立部１７ａとの間に位置する屈曲連結部１９を屈曲させることにより、挿入部１８の棒本体部１８ａが固定部１７の起立部１７ａ上に垂直または傾斜した状態で起立する。
【００２５】
この状態で、挿入部１８の棒本体部１８ａを機器ケース１の第１ケース２の側部に設けられたペン収納穴６に挿入させる。このときには、第１ケース２のペン収納穴６の露出側を下に向けて機器ケース１を横向きに垂直または傾斜した状態で立て、この状態で挿入部１８の棒本体部１８ａを第１ケース２のペン収納穴６に挿入する。この場合には、挿入部１８の棒本体部１８ａがタッチペン５と同様、先細の棒状に形成されているので、第１ケース２のペン収納穴６を見ながら、容易に挿入部１８の棒本体部１８ａをペン収納穴６に挿入させることができる。
【００２６】
そして、挿入部１８の棒本体部１８ａを機器ケース１の第１ケース２と共に固定部１７に対して横倒させる。このときにも、挿入部１８の頭部１８ｂと固定部１７の起立部１７ａとの間に位置する屈曲連結部１９を屈曲させることにより、挿入部１８の棒本体部１８ａが固定部１７上に向けて横倒する。これにより、第１ケース２のペン収納穴６に挿入された挿入部１８の棒本体部１８ａによって、第１ケース２が横倒して固定部１７に押し付けられ、この状態で第１ケース２がカバー本体８の第１カバー部１１上に配置される。
【００２７】
このときには、固定部１７における側面フック部２０の係止片２０ｂがペン収納穴６の露出側と反対側に位置する第１ケース２の側面を係止すると共に、固定部１７の起立部１７ａと側面フック部２０との間に第１ケース２が挟まれる。これにより、第１ケース２が可動取付部材１０によってカバー本体８の第１カバー部１１上に固定される。また、この状態で、機器ケース１の第１ケース２と第２ケース３とをケース連結部４によって開くと、第２ケース３がカバー本体８の第２カバー部１２上に配置される。
【００２８】
そして、カバー本体８の第１カバー部１１上に配置された第１ケース２の各角部２ａを第１カバー部１１の各角部に設けられたコーナーフック部２２に挿入させて、第１ケース２を第１カバー部１１に保持させる。同様に、カバー本体８の第２カバー部１２上に配置された第２ケース３の各角部３ａを第２カバー部１２の各角部に設けられたコーナーフック部２２に挿入させて、第２ケース３を第２カバー部１２に保持させる。
【００２９】
これにより、電子辞書の機器ケース１に保護カバー７が取り付けられる。この状態では、機器ケース１の第１ケース２と第２ケース３との開閉操作に応じて保護カバー７のカバー本体８も屈曲する。これにより、カバー本体８が折れ曲がったり展開したりするので、電子辞書を良好に使用することができると共に、良好に携帯することができる。
【００３０】
このように、この保護カバー７によれば、機器ケース１の外表面を覆う折り曲げ可能なカバー本体８と、このカバー本体８に対して起立横倒可能に設けられ、機器ケース１の第１ケース２の側面から第１ケース２の内部に向けて設けられたペン収納穴６に起立させた状態で挿入して横倒することにより、カバー本体８を機器ケース１に対して取り付ける可動取付部材１０と、を備えていることにより、機器ケース１の外表面に簡単に且つ容易に取り付けることができる。
【００３１】
すなわち、この保護カバー７では、機器ケース１の外表面にカバー本体８を取り付ける際に、機器ケース１の第１ケース２のペン収納穴６を見ながら、可動取付部材１０を起立させた状態で第１ケース２のペン収納穴６に容易に挿入させることができると共に、この挿入した可動取付部材１０をカバー本体８に対して横倒させるだけで、簡単にカバー本体８を機器ケース１に取り付けることができるので、機器ケース１の外表面に簡単に且つ容易に取り付けることができる。
【００３２】
この場合、可動取付部材１０は、第１ケース２のペン収納穴６に挿入する挿入部１８を有し、この挿入部１８がカバー本体８に固定された固定部１７に屈曲連結部１９によって起立横倒可能に連結されていることにより、この屈曲連結部１９によって挿入部１８を固定部１７に対して起立横倒させることができる。このため、挿入部１８を固定部１７に対して起立させて第１ケース２のペン収納穴６に容易に挿入させることができ、この挿入した挿入部１８を横倒させて第１ケース２を固定部１７に押し付けてカバー本体８に確実に取り付けることができる。
【００３３】
また、固定部１７には、ペン収納穴６の奥側に位置する第１ケース２の側部を係止する側面フック部２２が設けられているので、この側面フック部２２によってペン収納穴６の奥側に位置する第１ケース２の側部を係止することができ、これにより第１ケース２を固定部１７に対して確実に固定して、第１ケース２にカバー本体８を良好に取り付けることができる。
【００３４】
この場合、固定部１７には、挿入部１８が屈曲連結部１９によって連結される起立部１７ａが設けられていることにより、この起立部１７ａと側面フック部２２の係止片２２ｂとによって第１ケース２の両側部を挟み付けることができるので、これによっても第１ケース２を固定部１７に対して確実に固定して、第１ケース２にカバー本体８を良好に取り付けることができる。
【００３５】
また、この保護カバー７は、第１ケース２の側部に設けられてタッチペン５が挿入するペン収納穴６に可動取付部材１０の挿入部１８を挿入させる構成であるから、機器ケース１に特殊な構造や加工を施す必要がなく、第１ケース２のペン収納穴６を利用してカバー本体８を機器ケース１に簡単に且つ容易に取り付けることができる。このため、保護カバー７を機器ケース１に取り付けていない場合には、ペン収納穴６にタッチペン５を収納して使用することができるので、使い勝手の良いものを提供することができる。
【００３６】
また、この保護カバー７では、カバー本体８にタッチペン５を着脱自在に保持するペンホルダ部２１が設けられていることにより、保護カバー７を機器ケース１に取り付けて使用する際に、保護カバー７の可動取付部材１０の挿入部１８がペン収納穴６に挿入されていても、タッチペン５をペンホルダ部２１に挿入させて保持することができ、これによりタッチペン５を紛失することなく、良好に携帯することができるので、これによっても使い勝手の良いものを提供することができる。
【００３７】
さらに、この保護カバー７によれば、カバー本体８の四隅に機器ケース１の四隅を係止するコーナーフック部２２がそれぞれ設けられているので、このコーナーフック部２２によって機器ケース１の第１、第２の各ケース２、３におけるケース連結部４に対して反対側に位置する各角部２ａ、３ａを係止することができ、これによりカバー本体８を機器ケース１に確実に且つ良好に取り付けることができる。
【００３８】
この場合、コーナーフック部２２は、塩化ビニルなどの軟質の合成樹脂からなる帯状のものであり、その各一端部がカバー連結部１３と反対側に位置する第１、第２の各側辺部に取り付けられ、各他端部が第１、第２の各側辺部に対して直交する各側部に取り付けられ、この状態で各中間部が弛みを有するように構成されているので、第１ケース２におけるケース連結部４と反対側に位置する各角部２ａを挿入すると共に、第２ケース３におけるケース連結部４と反対側に位置する各角部３ａを挿入するだけで、第１、第２の各ケース２、３の各角部２ａ、３ａを簡単に且つ確実に保持することができる。
【００３９】
なお、上述した実施形態では、ペンホルダ部２１をカバー本体８の第１カバー部１１におけるカバー連結部１３に対して反対側に位置する側辺部（図２では下辺部）に設けた場合について述べたが、これに限らず、例えば第１カバー部１１の両側辺部の一方に設けた構成であっても良く、また必ずしも第１カバー部１１の下辺または左右の各側辺部に限らず、第２カバー部１２の上辺または左右の各側辺部のいずれに設けた構成であっても良い。
【００４０】
また、上述した実施形態では、可動取付部材１０の挿入部１８を先細の棒状に形成した場合について述べたが、これに限らず、例えばタッチペン５が挿入する大きさのパイプ状に形成し、このパイプ状の端部に鍔部を設け、この鍔部を固定部１７の起立部１７ａに屈曲連結部１９で起立横倒可能に連結した構成であっても良い。この場合には、固定部１７の起立部１７ａおよび屈曲連結部１９にタッチペン５が挿入する挿入孔を形成すれば良い。
【００４１】
また、上述した実施形態では、固定部１７をカバー本体８の第１ケース２の内地１５上に固定した場合について述べたが、これに限らず、例えば第１ケース２の内部に埋め込んだ構成にしても良い。このように構成すれば、固定部１７が外部から見えないので、外観的にもデザイン的にも好ましいものを得ることができる。
【００４２】
さらに、上述した実施形態では、固定部１７の起立部１７ａと挿入部１８の頭部１８ｂとを折り曲げ可能に連結する屈曲連結部１９を肉厚の薄い屈曲可能な薄肉部に形成した場合について述べたが、これに限らず、屈曲可能な軟質の合成樹脂からなるシートを用い、このシートを固定部１７の起立部１７ａの内面と挿入部１８の頭部１８ｂとに跨って取り付け、このシートによって固定部１７の起立部１７ａの上端部と挿入部１８のほぼ半円形状の頭部１８ｂにおける弦部に相当する直線部とを屈曲可能に連結した構成であっても良い。
【００４３】
なおまた、上述した実施形態では、電子辞書に適用した場合について述べたが、必ずしも電子辞書である必要はなく、例えば携帯情報端末機（ＰＤＡ：パーソナル・デジタル・アシスタント）などの折り畳み可能な電子機器にも適用することができる。
【００４４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００４５】
（付記）
請求項１に記載の発明は、機器ケースの外表面を覆う折り曲げ可能なカバー本体と、このカバー本体に対して起立横倒可能に設けられ、前記機器ケースの側面から前記機器ケースの内部に向けて設けられた取付穴に起立した状態で挿入して横倒することにより、前記カバー本体を前記機器ケースに対して取り付ける可動取付部材と、を備えていることを特徴とする保護カバーである。
【００４６】
請求項２に記載の発明は、請求項１に記載の保護カバーにおいて、前記可動取付部材は、前記機器ケースの前記取付穴に挿入する挿入部を有し、この挿入部を前記カバー本体に固定された固定部に屈曲連結部によって起立横倒可能に連結したことを特徴とする保護カバーである。
【００４７】
請求項３に記載の発明は、請求項２に記載の保護カバーにおいて、前記固定部には、前記取付穴の奥側に位置する前記機器ケースの側部を係止する側面フック部が設けられていることを特徴とする保護カバーである。
【００４８】
請求項４に記載の発明は、請求項１〜請求項３のいずれかに記載の保護カバーにおいて、前記取付穴はタッチペンを収納するペン収納穴であることを特徴とする保護カバーである。
【００４９】
請求項５に記載の発明は、請求項１〜請求項４のいずれかに記載の保護カバーにおいて、前記カバー本体には、タッチペンを着脱自在に保持するペンホルダ部が設けられていることを特徴とする保護カバーである。
【００５０】
請求項６に記載の発明は、請求項１〜請求項５のいずれかに記載の保護カバーにおいて、前記カバー本体の四隅には、機器ケースの四隅を係止するコーナーフック部がそれぞれ設けられていることを特徴とする保護カバーである。
【符号の説明】
【００５１】
１  機器ケース
２  第１ケース
３  第２ケース
４  ケース連結部
５  タッチペン
６  ペン収納穴
７  保護カバー
８  カバー本体
１０  可動取付部材
１１  第１カバー部
１２  第２カバー部
１３  カバー連結部
１７  固定部
１７ａ  起立部
１８  挿入部
１８ａ  棒本体部
１８ｂ  頭部
１９  屈曲連結部
２０  側面フック部
２１  ペンホルダ部
２２  コーナーフック部
【図１】
2013236729.tif 000003
【図２】
2013236729.tif 000004
【図３】
2013236729.tif 000005
【図４】
2013236729.tif 000006
【図５】
2013236729.tif 000007